(57)【要約】【課題】表示装置に接続するＡＶ機器の状態情報をＡＶ機器側で記憶させることにより、ＡＶ機器の機能変更や追加にも容易に対応したシステム構成を可能とする。【解決手段】表示装置１０とＡＶ機器２０とがＨＤＭＩケーブルを介して接続される。ＡＶ機器２０では、表示装置１０のリモコンのお好みチャンネルキーに対して、ＡＶ機器の機器状態を示す所定項目の状態情報を関連付けてメモリー部２４に記憶しておく。そして、ユーザによりお好みチャンネルキーが操作されると、そのキーに対応する機器状態の再現を指示するＣＥＣメッセージが表示装置１０からＡＶ機器２０に送信される。ＡＶ機器２０では、メモリー部２４に記憶している状態情報に従って機器状態を再現する動作を行う。【選択図】図１
2009200887.tif 000002
【特許請求の範囲】
【請求項１】
表示装置と、該表示装置に接続する１または複数のＡＶ機器とからなる表示システムにおいて、前記表示装置は、ユーザによるキー操作入力を可能とする操作入力手段を有し、
前記ＡＶ機器は、前記操作入力手段の特定のキーに対して、該ＡＶ機器の機器状態を示す所定項目の状態情報を関連付けて記憶する状態情報記憶手段を有し、
前記特定のキーに対応する機器状態の再現を指示するコマンドが前記表示装置から送信された場合に、前記状態情報記憶手段に記憶した状態情報に従う機器状態を再現する動作を行うことを特徴とする表示システム。
【請求項２】
請求項１に記載の表示システムにおいて、
前記表示装置は、特定のキー操作入力があったとき、前記表示装置で表示している映像コンテンツを出力しているＡＶ機器に対して、該ＡＶ機器の状態情報の登録を指示するコマンドである登録指示コマンドを送信し、
前記ＡＶ機器は、所定項目の状態情報を、前記送信された登録指示コマンドに含まれる特定のキーの情報に関連付けて前記状態情報記憶手段に記憶することを特徴とする表示システム。
【請求項３】
請求項１または２に記載の表示システムにおいて、
前記表示装置は、前記ＡＶ機器が記憶している状態情報を、前記表示装置に接続されている全てのＡＶ機器から読み込み、前記キーに対応する状態情報を一覧にして表示することを特徴とする表示システム。
【請求項４】
請求項３に記載の表示システムにおいて、
前記表示装置は、前記状態情報の一覧の表示画面から、前記操作入力手段により特定のキーが選択された場合、前記選択されたキーに対応する状態情報を記憶しているＡＶ機器に対して、前記機器状態の再現を指示するコマンドを送信することを特徴とする表示システム。
【請求項５】
請求項１〜４のいずれか１に記載の表示システムにおいて、
前記表示装置と前記ＡＶ機器とは、ＨＤＭＩケーブルにより相互に接続され、ＨＤＭＩ規格に基づくＣＥＣメッセージの送受信が可能であり、
前記表示装置から前記ＡＶ機器に送信するコマンドを前記ＣＥＣメッセージによって生成することを特徴とする表示システム。
【請求項６】
請求項５に記載の表示システムにおいて、前記表示装置は、該表示装置に接続されている前記ＡＶ機器の物理アドレスと、前記状態情報が関連付けられているキーの情報とを関連付けて記憶する手段を有し、
前記機器状態の再現を指示するコマンドを送信する際に、選択されたキーの情報に従う物理アドレスを使用して、送信コマンドを送信することを特徴とする表示システム。
【請求項７】
表示装置に接続し、該表示装置に対して映像信号を送信するＡＶ機器であって、該ＡＶ機器は、前記表示装置の操作入力手段の特定のキーに対して、該ＡＶ機器の機器状態を示す所定項目の状態情報を関連付けて記憶する状態情報記憶手段を有し、
前記特定のキーに対応する機器状態の再現を指示するコマンドが前記表示装置から送信された場合に、前記状態情報記憶手段に記憶した状態情報に従う機器状態を再現する動作を行うことを特徴とするＡＶ機器。
【請求項８】
請求項７に記載のＡＶ機器において、該ＡＶ機器の状態情報の登録を指示するコマンドである登録指示コマンドを受信した場合、所定項目の状態情報を、前記送信された登録指示コマンドに含まれる特定のキーの情報に関連付けて前記状態情報記憶手段に記憶することを特徴とするＡＶ機器。
【発明の詳細な説明】
【技術分野】
【０００１】
本発明は、表示システム及びＡＶ機器に関し、より詳細には、表示装置とその表示装置に接続されたＡＶ機器とよりなる表示システムと、その表示システムに適用可能なＡＶ機器機に関する。
【背景技術】
【０００２】
例えば液晶テレビなどの表示装置に対して、ＤＶＤプレーヤやＳＴＢ（Set Top Box）などのＡＶ機器を外部機器として複数接続して使用するケースが一般的となっている。このような表示装置とＡＶ機器とをそれぞれ操作する場合には、例えば操作対象の機器のそれぞれに対応したリモコンを準備して機器に応じたリモコン操作を行う必要がある。
【０００３】
このような課題に対して、例えば特許文献１には、ＴＶの内蔵機器と外部接続機器とでリモコン送信機の共通の操作ボタンを用い、これらを任意に切り替えて操作できることで、リモコン送信機のボタン数を減らし、かつ好適な操作性を得ることを目的とした技術が記載されている。特許文献１は、本体機器とＡＶ機器とを操作する共通の操作ボタン（録画・再生・停止・一時停止・ＦＦ・ＲＥＷ及び機器選択ボタン）をリモコンに設け、デジタルバス（ＨＤＭＩ、ＩＥＥＥ１３９４）と機器制御コマンドとを用いてＡＶ機器の制御を行うに留まっている。
【０００４】
また、特許文献２には、ユーザが表示機の入力切換を行わなくても、表示機の選局操作により表示機に接続された外部受信機より出力される映像／音声信号に入力を切り替え、さらに外部受信機の選局操作をも行うことにより、容易にＡＶ受信機の選局操作を行うことを目的とした技術が開示されている。この特許文献２には、ＡＶ機器からデジタルインターフェイス（ＨＤＭＩ、ＤＶＩ、ＩＥＥＥ１３９４）を通じてＣＨプリセット情報を取得して一括管理することで、ＣＨボタンのアップ／ダウン操作のみでＡＶ機器の選局、入力切替を行うことが記載されている。
【特許文献１】特開２００６−４１５８４号公報
【特許文献２】特開２００４−３０４２２０号公報
【発明の開示】
【発明が解決しようとする課題】
【０００５】
上記の特許文献には、表示装置に接続されたＡＶ機器を表示装置用のリモコンによって制御できるようにした技術が開示されている。ここでは、ＡＶ機器に種々の動作を行わせることができるが、操作対象の機器によっては、当該機器を使用するために必要となる初期画面の表示状態まで毎回表示を遷移させる操作を行わなければならず、一般的なユーザによっては非常に使い勝手が悪いという課題がある。
【０００６】
このような課題に対して、表示装置に外部接続されたＡＶ機器を当該表示装置のリモコンで操作する場合に、ＡＶ機器の種々の機能や動作に関わる状態情報を表示装置で記憶しておき、その状態情報をその都度呼び出してＡＶ機器を制御するようにすれば、簡単なユーザ操作で複雑なＡＶ機器の状態設定を行うことができる。しかしながら、このような構成ではＡＶ機器の機能やＡＶ機器が取り得る動作状態を表示装置側で熟知していなければならず、その実現は容易ではない。また、表示装置でＡＶ機器の状態情報を記憶した場合には、将来のＡＶ機器の機能変更や追加等に対応することができない、という問題も生じる。
【０００７】
本発明は、上述のごとき実情に鑑みてなされたものであり、ＡＶ機器の状態設定を表示装置のリモコンから操作できるようにしたシステムにおいて、表示装置に接続するＡＶ機器の状態情報をＡＶ機器側で記憶させることにより、ＡＶ機器の機能変更や追加にも容易に対応したシステム構成を可能とする表示システム、及び該表示システムに適用可能なＡＶ機器を提供することを目的とするものである。
【課題を解決するための手段】
【０００８】
上記課題を解決するために、本発明の第１の技術手段は、表示装置と、表示装置に接続する１または複数のＡＶ機器とからなる表示システムにおいて、表示装置は、ユーザによるキー操作入力を可能とする操作入力手段を有し、ＡＶ機器は、操作入力手段の特定のキーに対して、ＡＶ機器の機器状態を示す所定項目の状態情報を関連付けて記憶する状態情報記憶手段を有し、特定のキーに対応する機器状態の再現を指示するコマンドが表示装置から送信された場合に、状態情報記憶手段に記憶した状態情報に従う機器状態を再現する動作を行うことを特徴としたものである。
【０００９】
第２の技術手段は、第１の技術手段において、表示装置が、特定のキー操作入力があったとき、表示装置で表示している映像コンテンツを出力しているＡＶ機器に対して、ＡＶ機器の状態情報の登録を指示するコマンドである登録指示コマンドを送信し、ＡＶ機器は、所定項目の状態情報を、送信された登録指示コマンドに含まれる特定のキーの情報に関連付けて状態情報記憶手段に記憶することを特徴としたものである。
【００１０】
第３の技術手段は、第１または２の技術手段において、表示装置が、ＡＶ機器が記憶している状態情報を、表示装置に接続されている全てのＡＶ機器から読み込み、キーに対応する状態情報を一覧にして表示することを特徴としたものである。
【００１１】
第４の技術手段は、第３の技術手段において、表示装置が、状態情報の一覧の表示画面から、操作入力手段により特定のキーが選択された場合、選択されたキーに対応する状態情報を記憶しているＡＶ機器に対して、機器状態の再現を指示するコマンドを送信することを特徴としたものである。
【００１２】
第５の技術手段は、第１〜４のいずれかの技術手段において、表示装置とＡＶ機器とは、ＨＤＭＩケーブルにより相互に接続され、ＨＤＭＩ規格に基づくＣＥＣメッセージの送受信が可能であり、表示装置からＡＶ機器に送信するコマンドをＣＥＣメッセージによって生成することを特徴としたものである。
【００１３】
第６の技術手段は、第５の技術手段において、表示装置が、表示装置に接続されているＡＶ機器の物理アドレスと、状態情報が関連付けられているキーの情報とを関連付けて記憶する手段を有し、機器状態の再現を指示するコマンドを送信する際に、選択されたキーの情報に従う物理アドレスを使用して、送信コマンドを送信することを特徴としたものである。
【００１４】
第７の技術手段は、表示装置に接続し、表示装置に対して映像信号を送信するＡＶ機器であって、ＡＶ機器は、表示装置の操作入力手段の特定のキーに対して、ＡＶ機器の機器状態を示す所定項目の状態情報を関連付けて記憶する状態情報記憶手段を有し、特定のキーに対応する機器状態の再現を指示するコマンドが表示装置から送信された場合に、状態情報記憶手段に記憶した状態情報に従う機器状態を再現する動作を行うことを特徴としたものである。
【００１５】
第８の技術手段は、第７の技術手段において、ＡＶ機器の状態情報の登録を指示するコマンドである登録指示コマンドを受信した場合、所定項目の状態情報を、送信された登録指示コマンドに含まれる特定のキーの情報に関連付けて状態情報記憶手段に記憶することを特徴としたものである。
【発明の効果】
【００１６】
本発明によれば、ＡＶ機器の状態設定を表示装置のリモコンから操作できるようにしたシステムにおいて、表示装置に接続するＡＶ機器の状態情報をＡＶ機器側で記憶させることにより、ＡＶ機器の機能変更や追加にも容易に対応したシステム構成を可能とする表示システム、及び該表示システムに適用可能なＡＶ機器を提供することができる。
【発明を実施するための最良の形態】
【００１７】
本発明に係る表示システムは、表示装置と、その表示装置に接続されたＡＶ（Audio Visual）機器よりなる映像表示システムであって、さらに本発明に係るＡＶ機器は、上記表示システムに適用可能なＡＶ機器である。
【００１８】
本発明に係る実施形態では、ＡＶ機器の機能や動作状態（ステータス）を示す状態情報をＡＶ機器にて記憶しておき、その記憶した状態情報を表示装置が備えるリモコンの特定のキーに対して関連付けておく。特定のキーとは、本実施形態では、お好みチャンネルキーを適用する。
従来の一般的なお好みチャンネル機能とは、テレビのリモコンにお好みチャンネルキーが設けられ、そのボタンに対応付けてユーザが任意の放送チャンネルを登録しておき、ユーザがその放送チャンネルの番組を試聴したいときに、該当するお好みチャンネルキーを押すことによって、その放送チャンネルを一発選局できるようにしたものである。
本発明に係る実施形態では、このお好みチャンネル機能を利用して、それぞれのお好みチャンネルキーに対して、特定のＡＶ機器の状態情報を関連付け、その状態情報をＡＶ機器側で記憶させておく。そして、ユーザがお好みチャンネルボタンを操作することにより、そのキー情報を含む再現指示コマンドが表示装置からＡＶ機器に送信され、ＡＶ機器では、記憶しておいた自身の機器状態を再現するように動作する。
【００１９】
ＡＶ機器の状態情報としては、例えば、ＡＶ機器での再生や録画の実行などの簡単なものから、特定のチャンネルの録画、特定のコンテンツの再生、あるいは録画リストの一覧表示、お好みチャンネルの登録情報の表示、使用記録媒体表示、動作モード表示など、ＡＶ機器が取り得る詳細な動作状態情報や機能情報を適用することができる。
そして、表示装置のリモコンを用いて、例えば、動作モードの継続実行、録画リストから不要リストの一斉削除または部分削除、お好みチャンネルの登録情報の一斉削除または部分削除、などを実行できるようにしている。
【００２０】
これらの制御を行うために、表示装置とＡＶ機器とをＨＤＭＩ（High-Definition Multimedia Interface）ケーブルによって接続し、ＨＤＭＩ規格による機器制御信号と制御プロトコルであるＣＥＣ（Consumer Electronics Control）のメッセージを使用して、表示装置からＡＶ機器を制御する。表示装置では、このＣＥＣメッセージを用いて、外部機器に現在の状態情報を特定のお好みチャンネル登録する指示コマンドを送信する。ＡＶ機器ではそのＣＥＣメッセージを受けて、自身の現在の状態情報を指示されたお好みチャンネルキーに関連付けて記憶しておく。そして、その後のユーザ操作によるお好みチャンネルキーの選択に従って、そのお好みチャンネルキーに関連付けられた機器状態の再現を指示するＣＥＣメッセージを生成して、該当するＡＶ機器に送信する。ＡＶ機器では、表示装置から送信されたＣＥＣメッセージを解析し、ＣＥＣメッセージにより指示されているお好みチャンネルキーに該当する状態を再現する。
またＣＥＣメッセージを用いることで、表示装置がＡＶ機器からお好みチャンネルキーの登録情報を取得して一覧表示したり、またお好みチャンネルキーの登録情報を編集（追加、削除、表示項目の優先順位の変更）などを行うことができる。
以下に本発明に係る実施形態を添付された図面を参照しながら、さらに具体的に説明する。
【００２１】
図１は、本発明の表示システムの構成の要部を説明するためのブロック図である。表示システムは、表示装置１０とＡＶ機器２０とを備えている。ここでは表示装置１０に一台のＡＶ機器２０が接続された最もシンプルな例で説明するが、本発明に係る実施形態では、表示装置１０と複数のＡＶ機器２０とが接続された表示システムの形態をとることができる。ＡＶ機器としては、例えば、ＨＤＭＩ出力端子を持つＤＶＤレコーダやＨＤＤレコーダ、ＤＶＤプレーヤ、Ｄ−ＶＨＳレコーダ、ＳＴＢ（Set Top Box）、デジタルビデオカメラなどがある。またＡＶ機器２０はリピータ等を介してツリー状に構成されたものであってもよい。
【００２２】
表示装置１０は、Ｒ／Ｃ受光部１１を備え、表示装置用のリモコン（図示せず）からユーザ操作に応じて送信されるリモコン信号を受信して制御部１２に入力させる。表示装置用のリモコンは、本発明の操作入力手段に該当し、お好みチャンネルキーが設けられ、本発明に係るお好みチャンネルキーへのＡＶ機器の状態情報登録機能を実現するために用いることができる。
【００２３】
制御部１２は、表示装置１０の各部を制御するもので、メモリー部１４に格納された制御プログラム及びデータにより動作する。メモリー部１４は、この他、お好みチャンネルキーと、状態情報が登録されたＡＶ機器の物理アドレスとの対応テーブルを保持している。
【００２４】
ＨＤＭＩ通信部１３は、外部機器として接続されるＡＶ機器２０との間で、ＨＤＭＩ規格に準拠する通信を可能とする。ＨＤＭＩ通信を行うＨＤＭＩケーブルは、映像・音声信号を伝送するＴＭＤＳライン（Transition Minimized Differential Signaling）と、ＣＥＣラインとを含み、ソース機器（ＡＶ機器２０）側から表示装置１０への映像・音声信号の送信と、表示装置１０とＡＶ機器２０との間の双方向のＣＥＣメッセージの送受信を可能としている。
ＨＤＭＩ機／ＣＥＣに対応した機器システムでは、各機器の論理アドレスと物理アドレスとを表示装置（シンク機器）１０にて取得でき、物理アドレスを指定することで所望の機器にＣＥＣメッセージを送信することができる。
【００２５】
一方、ＡＶ機器２０においても表示装置１０と同様の要部構成を有している。すなわち、ＡＶ機器２０は、Ｒ／Ｃ受光部２１を備え、ＡＶ機器用のリモコン（図示せず）からユーザ操作に応じて送信されるリモコン信号を受信して制御部２２に入力させる。制御部２２は、ＡＶ装置各部を制御するもので、メモリー部２４に格納された制御プログラム及びデータにより動作する。メモリー部２４は、この他、ＡＶ機器の状態情報をリモコンのお好みチャンネルキーに関連付けて保持している。つまりメモリー部２４は、表示装置の操作入力手段の特定のキーに対して機器状態を関連付けて記憶する本発明の状態情報記憶手段に相当する。
【００２６】
制御部２２は、表示装置１０からそのお好みチャンネルキーの状態の再現を指示するＣＥＣメッセージが送信されると、その状態情報に従う動作を実行することで、状態情報を登録したときの機器状態を再現する。また、映像・音声コンテンツのデータを保持するＨＤＤ等の内蔵記憶手段もメモリー部２４に含まれる。また、ＨＤＭＩ通信部２３は、表示装置１０との間で上記のようなＨＤＭＩ通信を可能とする。
【００２７】
なお図１は、表示システムの要部のみを示したものであり、表示装置１０では、ＡＶ機器２０から送信された映像・音声信号を出力するためのディスプレイ（表示手段）やスピーカが備えられる。また表示装置１０が液晶テレビなどの放送受信装置であれば、放送受信波を選局してディスプレイに表示するチューナ〜映像処理機構が備えられる。
またＡＶ機器２０は、その仕様に応じて各種の機構が備えられる。例えば録画再生機器では、例えば内蔵ＨＤＤに加えて、外部記憶媒体との間でデータの読み出しや書込を可能とする機構などが備えられる。またSet Top Boxではチューナ機構などが備えられる。
また、ＡＶ機器２０から表示装置１０に送信する映像データは、ＨＤＭＩケーブルを介したものに限定されず、例えばＩＥＥＥ１３９４バス等を併用して映像／音声データの転送を行うものであってもよい。
【００２８】
図２は、表示システムの構成例とこのときのＨＤＭＩの物理アドレスとを示す図である。ここでは、テレビ（ＴＶ）に対して、２台のリピータ（repeater）が接続され、各リピータに対してさらにＳＴＢ、及び複数のＤＶＤが接続されている。テレビ（ＴＶ）は、本表示システムの表示装置１０に該当し、ＳＴＢ，ＤＶＤは本表示システムのＡＶ機器２０に該当するものである。
これらの機器に対してＨＤＭＩ規格に従って論理アドレスと物理アドレスとが割り当てられる。テレビ（ＴＶ）では、各ＡＶ機器から送信された物理アドレス、あるいは各論理アドレスごとに発信した物理アドレスの要求メッセージに対して返信された物理アドレスを用いてマッピングを行い保持しておく。このためマッピングでは、機器の論理アドレスと物理アドレスとが関連付けて記憶される。物理アドレスは、ＨＤＭＩの接続端子位置に応じて決定されているため、ＡＶ機器の電源ＯＮ／ＯＦＦのタイミングによって変更されることはない。
【００２９】
テレビ（ＴＶ）では、接続されたＡＶ機器を物理アドレスで管理し、そのＡＶ機器の表示には論理アドレスを使用する。
図３は、表示装置のメモリー部に保持されるお好みチャンネルキー（キー番号）とＡＶ機器の対応テーブルの一例を示す図である。表示装置１０では、接続するＡＶ機器２０の個々の状態情報は保持せずに、お好みチャンネルキーに登録されているＡＶ機器２０の情報をテーブルにして保持しておく。この場合、ＡＶ機器２０の情報としては予め取得されている物理アドレスを用い、各お好みチャンネルキーの番号と、その番号に対する機器情報の登録の有無と、登録が行われている場合にそのＡＶ機器の物理アドレスとを関連付けてメモリー部１４に記憶させておく。表示装置１０では、このテーブル情報を使用して、表示装置１０用のリモコンのお好みチャンネルキーが押されたときに、そのお好みチャンネルキーに関連付けられたＡＶ機器の状態情報の登録があるかどうかを判別し、登録があれば、その物理アドレスのＡＶ機器に対してＣＥＣメッセージによりお好みチャンネルキーが押されたことを示す情報、つまりお好みチャンネルキーに登録されている状態情報を再現するコマンドをＣＥＣメッセージにより送信する。
【００３０】
図４は、表示システムのＡＶ機器に保持される機器状態情報テーブルの一例を説明するための図である。図４の状態情報は、表示システムのＡＶ機器として使用可能なＳＴＢ（Set Top Box）における記憶情報の例を示すものである。
ＳＴＢのメモリー部には、機器状態情報のテーブルとして、お好みチャンネルキーの番号（お好み番号）に関連付けてＳＴＢの状態情報が記憶される。この状態情報の記憶項目は予め定められるものであり、ここでは、電源、ＥＰＧ、ＭＥＮＵ、メディア、ＣＨ、などが設定されている
【００３１】
お好みチャンネルキーの番号は、当該ＳＴＢが接続される表示装置１０のリモコンに設定されたお好みチャンネルキーの番号である。そして各お好みチャンネルキーの番号に対して、ＳＴＢ自身の状態情報が設定されている。ここでは、電源のＯＮ／ＯＦＦ、ＥＰＧ（Electronic Program Guide）による電子番組表の表示のＯＮ／ＯＦＦ、所定のＭＥＮＵ（メニュー）表示のＯＮ／ＯＦＦ、使用しているメディアの種類（例えば、ＢＳやＣＳなど）、チャンネル（ＣＨ）の番号、が設定されている。
【００３２】
ユーザが表示装置１０のリモコンを操作して任意のお好みチャンネルキーを押すと、そのリモコン信号が表示装置１０で受信され、表示装置１０の制御部１２は、自身のメモリー部１４に保持している機器対応テーブルを参照して、押されたリモコンキーに対応するＡＶ機器２０に対して、お好みチャンネルキーに関連付けて登録されている機器状態を再現することを指示するＣＥＣメッセージを送信する。
そして、これを受けたＡＶ機器２０では、図４に示すごとくの機器状態情報テーブルを参照し、そのお好みチャンネルキーに対応する状態情報に従う動作を実行し、登録時の機器状態を再現する。
【００３３】
例えば図４の例において、表示装置１０のリモコンでお好みチャンネルキーの“００２”が押された場合、ＳＴＢの制御部では、図４に示す機器状態情報テーブルを参照し、お好みチャンネルキー“００２”に登録された機器状態を再現する制御を行う。この例では、電源をＯＮにし、ＢＳ放送のチャンネル１１を選局して、表示装置１０に送信する。このときにEＰＧとＭＥＮＵ表示はＯＦＦにしておく。選局した放送信号は、ＨＤＭＩケーブルを通じて表示装置１０に送信される。もしくは他の経路を通じて送信することが定められていれば、その経路設定に従って放送信号を送信する。
【００３４】
また、図４の機器状態情報テーブルでは、情報項目の優先順位が設けられていて、機器状態を再現するときに、優先順位の高い情報項目を優先して制御する。例えば図４の例では、機器状態情報テーブルで左側にある情報項目ほど優先順位が高いものとして設定されている。従って例えば、お好みチャンネルキーの“００８”が押された場合には、ＳＴＢでは優先順位の最も高い“電源”の情報項目に従って、自身の電源をＯＦＦにする動作を行う。なお図４は、図３のデータ内容とは独立した例を示している。
【００３５】
次に表示システムにおけるお好みチャンネルの登録処理について説明する。
図５は、お好みＣＨにＡＶ機器の状態情報を登録する処理の他の例を説明するための図である。この例は、表示装置であるテレビ（ＴＶ）に対して、ＡＶ機器としてＤＶＤレコーダ（ＤＶＤ１）が接続されているものとする。また、ＤＶＤレコーダは、テレビの複数のＨＤＭＩ入力端子のうちのＨＤＭＩ１に接続されるものとする。そしてここでは、テレビで視聴（表示）中のＤＶＤレコーダの録画リストをお好みチャンネルキー“００３”に登録する処理を行うものとする。
【００３６】
まずお好みチャンネルを登録する前に、ＤＶＤレコーダからＨＤＭＩ入力したコンテンツをテレビにて視聴していたものとする（ステップＳ１）。
ユーザは、ＤＶＤレコーダの録画リストを表示する状態をお好みチャンネルキー“００３”に登録したい場合に、まず、ＤＶＤレコーダを操作して、登録対象となる録画リストを表示させる操作を行う（ステップＳ２）。これに対してＤＶＤレコーダでは、録画リストをテレビに送信する（ステップＳ３）。テレビではこれを受けて、ＤＶＤレコーダから送信された録画リストの視聴（表示）中の状態となる（ステップＳ４）。
【００３７】
ここでユーザは、テレビ（表示装置）のリモコンを操作して「登録ボタン」を押す（ステップＳ５）。これに対してテレビでは、お好みチャンネルの登録画面を表示する（ステップＳ６）。図６にこのとき表示されるお好みチャンネルの登録画面の一例を示す。この登録画面では、すでにお好みチャンネルキーの番号（お好みＮｏ．）“００１”と“００２”に接続機器の機器状態が登録されていることが示されている。この例では、登録済みのお好みチャンネルキーの番号（お好みＮｏ．）をハッチングで表示し、ユーザにこれらのお好みチャンネルキーに対してすでに登録があることを明示する。この場合、接続機器状態の具体的な情報については、図示するように表示しなくてもよい。テレビでは、接続機器状態の情報を保持しないが、どのお好みチャンネルキーが使用されているかはテレビ自信で管理しているため、このような表示が可能である。また、新たな登録を行うときに、すでに登録されている接続機器の機器状態情報を取得し、登録画面に表示させるようにしてもよい。
【００３８】
そしてユーザは、テレビのリモコンの上下方向キーを操作し、表示されている登録画面でお好みチャンネルキー“００３”を選択する操作を行う（ステップＳ７）。テレビでは図７に示すように、お好みチャンネルキー“００３”がカーソルで選択された登録画面を表示する（ステップＳ８）。
【００３９】
そしてさらにユーザは、テレビのリモコンの決定ボタンを押すことにより、現在の状態をお好みチャンネルキー“００３”に登録する指示を行う（ステップＳ９）。これに対してテレビでは、図８に示すように、登録画面のお好みチャンネルキー“００３”に対して、現在の機器状態に相当する登録情報を表示させる（ステップＳ１０）。このときに、テレビ側で認識が可能なＡＶ機器の状態を表示することができ、認識できない情報は表示しなくてもよい。
【００４０】
そしてテレビは、現在の状態（ＤＶＤ１の録画リストをテレビに表示させている状態）をお好みチャンネルキー“００３”に登録するよう、ＣＥＣメッセージによってＤＶＤレコーダに指示する（ステップＳ１１）。このＣＥＣメッセージは、本発明の登録指示コマンドに該当する。これを受けたＤＶＤレコーダでは、現在の機器状態をお好みチャンネルキー“００３”に登録する（ステップＳ１２）。登録する情報は、登録画面例に示すように、テレビへの接続機器がＤＶＤレコーダ（ＤＶＤ１）であり（機器情報）、テレビへの接続入力がＨＤＭＩ１であり、ＤＶＤ１の電源はＯＮ（入）であって、メディアはＨＤＤであり、機器の状態は「録画リスト」の表示状態であることを示す情報である。
【００４１】
図９は、お好みチャンネルキーに登録されたＡＶ機器の状態を再現する処理の一例を説明するための図である。ここでも図５の例と同様に、表示装置であるテレビ（ＴＶ）に対して、ＡＶ機器としてＤＶＤレコーダ（ＤＶＤ１）が接続されているものとする。そしてここでは、お好みチャンネルキー“００３”に登録されているＡＶ機器の状態を再現する処理を行うものとする。
お好みチャンネルキーに登録された状態を再現する前に、テレビ（ＴＶ）のチューナで選局した放送波をテレビにて視聴していたものとする（ステップＳ２１）。ここでユーザは、テレビのリモコンを操作して、リモコンに備えられた「呼出」ボタンを押す（ステップＳ２２）。これに対してテレビでは、お好みチャンネルキーの登録情報を再現させるためのお好み呼出画面を表示する（ステップＳ２３）。図１０に、このとき表示されるお好み呼出画面の一例を示す。この呼出画面では、先に視聴していたＴＶチューナの選局画面が背景に表示され、その一部に“呼出 ―――”が表示されている。この“―――”の部分は、呼び出されるお好みチャンネルキーの番号がまだ入力されていないことを示している。
【００４２】
そしてユーザは、テレビのリモコンの数字キーを操作して、呼出し対象のお好みチャンネルである［０］［０］［３］のキーを順に押す（ステップＳ２４）。これに対してテレビでは、お好みチャンネルキー“００３”の機器状態を再現するよう、ＣＥＣメッセージによってＤＶＤレコーダに指示する（ステップＳ２５）。これを受けたＤＶＤ１では、お好みチャンネルキー“００３”に登録している状態情報を使用してその機器状態を再現する（ステップＳ２６）。この場合、上記図５の例に従えば、お好みチャンネルキー“００３”に登録された状態情報は、テレビへの接続機器がＤＶＤレコーダ（ＤＶＤ１）であり、テレビへの接続入力がＨＤＭＩ１であり、ＤＶＤレコーダの電源はＯＮ（入）であって、メディアはＨＤＤであり、機器の状態は「録画リスト」の表示状態である。録画リストをテレビに表示させる処理を行う。
【００４３】
そしてＤＶＤレコーダでは、録画リストデータをテレビに送信し、お好みチャンネル機キー“００３”の再現が完了すると（ステップＳ２７）、テレビでは、ＤＶＤレコーダが接続されているＨＤＭＩ１に入力を切り換えて図１１に示すような録画リストを表示する。このときの入力切換は、ＤＶＤレコーダから経路切換を指示するＣＥＣメッセージによって行われる。
図１１の録画リスト画面では、ＤＶＤレコーダの録画リスト画面が表示され、かつお好みチャンネルキー“００３”が呼び出されていることを示す“呼出 ００３”が表示される。この表示は、呼出完了の後一定期間経過後に表示をＯＦＦにさせる。
【００４４】
図１２は、お好みチャンネルキーに登録された全ての情報一覧画面を作成するときの処理の一例を説明するための図である。ここでは、表示装置であるテレビ（ＴＶ）に対して、ＡＶ機器として２台のＤＶＤレコーダ（ＤＶＤ１，ＤＶＤ２）が接続されているものとする。
お好みチャンネルキーに登録された全ての情報一覧画面を呼び出す前に、テレビ（ＴＶ）のチューナで選局した放送波をテレビにて視聴していたものとする（ステップＳ３１）。ここでユーザは、テレビのリモコンを操作して、リモコンに備えられた「全呼出」ボタンを押す（ステップＳ３２）。
【００４５】
これに対してテレビでは、お好みチャンネルキーに登録された全ての状態情報を示す全呼出画面を表示する（ステップＳ３３）。図１３に、このとき表示される全呼出画面の一例を示す。この全呼出画面では、先に視聴していたＴＶチューナの選局画面が背景に表示され、その一部に“全呼出中”が表示されている。
【００４６】
そしてテレビは、ＤＶＤ１（ＨＤＭＩ入力１）からお好みチャンネルキー“００１”の登録データ（状態情報）を読み込み（ステップＳ３４）、さらにＤＶＤ２からお好みチャンネルキー“００２”の登録データ（状態情報）を読み込み（ステップＳ３５）、さらに再度ＤＶＤ１からお好みチャンネルキー“００３”の登録データ（状態情報）を読み込む（ステップＳ３６）。
これらの登録データの読み込み処理においては、テレビの制御部は、図３に示すようなお好みチャンネルとＡＶ機器の対応テーブルを参照し、各お好みチャンネルキーに対して登録されているＡＶ機器から、お好みチャンネルキーの登録データ（状態情報）を読み込む処理を行う。  
【００４７】
この例では、お好みチャンネルキー“００１”に対してＤＶＤ１の物理アドレスが登録されている場合、テレビは、ＤＶＤ１からお好みチャンネルキー“００１”の登録データを読み込む。同様にお好みチャンネルキー“００２”に対してＤＶＤ２の物理アドレスが登録されている場合、テレビは、ＤＶＤ２からお好みチャンネルキー“００２”の登録データを読み込む。またこの例では、お好みチャンネルキー“００３”には、再度ＤＶＤ１の物理アドレスが登録されているため、テレビは、ＤＶＤ１からお好みチャンネルキー“００３”の登録データを読み込む。このように同一のＡＶ機器について複数のお好みチャンネルキーに登録することも可能である。この場合異なる登録データ（状態情報）をそれぞれのお好みチャンネルキーに対して登録可能である。
【００４８】
テレビでは、全てのお好みチャンネルキーの登録データを読み込むと、表示している全呼出画面に対して、各ＡＶ機器（ＤＶＤ１，ＤＶＤ２）から読み込んだ登録情報、つまり、接続機器（ＡＶ機器）、接続入力、電源ＯＮ／ＯＦＦ、メディア（地上波デジタル、ＤＶＤ等）、機器状態（１２ＣＨ、再生等）、タイトルやチャプタ情報等を、お好みチャンネルキーの番号に対応付けて一覧表示する（ステップＳ３７）。
図１４は、全呼出画面の一例を示す図で、ステップＳ３４でお好みチャンネルキー“００１”の登録データを読み込みが完了したときの画面例を示すものである。ここでは、お好みチャンネルキー“００１”について、読み込んだ登録データが表示され、他のお好みチャンネルキー（“００２”，“００３”）については、接続機器情報と接続入力情報のみが表示される。つまり、他の登録データは、該当機器からまだ読み込まれていないため、全呼出画面には表示できない。全ての登録データの読み込みが完了すれば、これら未表示の登録データも随時画面表示される。
【００４９】
図１５は、お好みチャンネルキーの登録を解除するときの処理の一例を説明するための図である。ここでは図１２と同様に、表示装置であるテレビ（ＴＶ）に対して、ＡＶ機器として２台のＤＶＤレコーダ（ＤＶＤ１，ＤＶＤ２）が接続されているものとする。そしてここでは、お好みチャンネルキー“００３”に登録されているＡＶ機器の状態を消去する処理を行うものとする。
お好みチャンネルキーに登録された全ての情報一覧画面を呼び出す前に、テレビ（ＴＶ）のチューナで選局した放送波をテレビにて視聴していたものとする（ステップＳ４１）。ここでユーザは、テレビのリモコンを操作して、リモコンに備えられた「全呼出」ボタンを押す（ステップＳ４２）。
【００５０】
これに対してテレビでは、お好みチャンネルキーに登録された全ての情報を示す全呼出画面を表示する（ステップＳ４３）。このとき表示される全呼出画面は、上記図１３に示す画面と同じである。この全呼出画面では、先に視聴していたＴＶチューナの選局画面が背景に表示され、その一部に“全呼出中”が表示されている。
【００５１】
そしてテレビは、ＤＶＤ１（ＨＤＭＩ入力１）からお好みチャンネルキー“００１”の登録データ（状態情報）を読み込み（ステップＳ４４）、さらにＤＶＤ２からお好みチャンネルキー“００２”の登録データ（状態情報）を読み込み（ステップＳ４５）、さらに再度ＤＶＤ１からお好みチャンネルキー“００３”の登録データ（状態情報）を読み込む（ステップＳ４６）。
上記図１２の例と同様に、これらの登録データの読み込み処理においては、テレビの制御部は、図３に示すようなお好みチャンネルキーとＡＶ機器の対応テーブルを参照し、各お好みチャンネルキーに対して登録されているＡＶ機器から、お好みチャンネルキーの登録データ（状態情報）を読み込む処理を行う。  
【００５２】
テレビでは、全てのお好みチャンネルキーの登録データを読み込むと、表示している全呼出画面に対して、各ＡＶ機器（ＤＶＤ１，ＤＶＤ２）から読み込んだ登録情報、つまり、接続機器（ＡＶ機器）、接続入力、電源ＯＮ／ＯＦＦ、メディア（地上波デジタル、ＤＶＤ等）、機器状態（１２ＣＨ、再生等）、タイトルやチャプタ情報等を、お好みチャンネルキーの番号に対応付けて一覧表示する（ステップＳ４７）。全呼出画面は、上記図１４の画面と同様であり、ステップＳ４４でお好みチャンネルキー“００１”の登録データを読み込みが完了したときの画面の状態が示される。
【００５３】
そしてユーザは、テレビのリモコンの上下ボタンを操作して、表示されている登録画面において、お好みチャンネルキー“００３”を選択する操作を行う（ステップＳ４８）。テレビでは図１６に示すように、お好みチャンネルキー“００３”がカーソルで選択された選択画面を表示する（ステップＳ４９）。
【００５４】
そしてさらにユーザは、テレビのリモコンの消去ボタンを押すことにより、現在登録されているお好みチャンネルキー“００３”の登録データを消去する指示を行う（ステップＳ５０）。これに対してテレビでは、図１７に示すように、“００３を消去しますか”という消去画面の表示を行う（ステップＳ５１）。そして、ユーザがリモコンのＯＫボタンを押すことにより、お好みチャンネルキー“００３”の登録データを消去する指示が決定され（ステップＳ５２）、テレビでは、図１８に示すように、“ＣＨ００３を消去中”との表示を行って、お好みチャンネルキー“００３”の登録データを画面上から消去する（ステップＳ５３）。
【００５５】
そしてテレビは、ＤＶＤ２に対して、お好みチャンネルキー“００３”の登録データを消去するよう指示を送る（ステップＳ５４）。これを受けてＤＶＤ２では、自身のメモリー部に保持しているお好みチャンネルキー“００３”の登録データを消去し（ステップＳ５５）、消去が完了した旨をテレビに通知する（ステップＳ５６）。これを受けてテレビでは、図１９に示すような消去完了画面を表示する（ステップＳ５７）。ここでは“お好みＣＨ００３を消去完了”との表示が行われる。
【００５６】
図２０は、全てのお好みＣＨの登録を解除するときの処理の一例を説明するための図である。ここでは図１２，図１５と同様に、表示装置であるテレビ（ＴＶ）に対して、ＡＶ機器としてＤＶＤ１，及びＤＶＤ２が接続されているものとする。そしてここでは、お好みチャンネルキーに登録されている全てのＡＶ機器の登録データを消去する処理を行うものとする。
お好みチャンネルキーに登録された全ての情報一覧画面を呼び出す前に、テレビ（ＴＶ）のチューナで選局した放送波をテレビにて視聴していたものとする（ステップＳ６１）。ここでユーザは、テレビのリモコンを操作して、リモコンに備えられた「全呼出」ボタンを押す（ステップＳ６２）。
【００５７】
これに対してテレビでは、お好みＣＨに登録された全ての情報を示す全呼出画面を表示する（ステップＳ６３）。この画面は上述の図１３に示す画面である。この全呼出画面では、先に視聴していたＴＶチューナの選局画面が背景に表示され、その一部に“全呼出中”が表示されている。
【００５８】
そしてテレビは、ＤＶＤ１（ＨＤＭＩ入力１）からお好チャンネルキー“００１”の登録データ（状態情報）を読み込み（ステップＳ６４）、さらにＤＶＤ２からお好みチャンネルキー”００２“の登録データ（状態情報）を読み込み（ステップＳ６５）、さらに再度ＤＶＤ１からお好みチャンネルキー”００３“の登録データ（状態情報）を読み込む（ステップＳ６６）。この動作は上記図１２の例と同様である。  
【００５９】
テレビでは、全てのお好みＣＨの登録データを読み込むと、表示している全呼出画面に対して、各ＡＶ機器（ＤＶＤ１，ＤＶＤ２）から読み込んだ登録情報、つまり、接続機器（ＡＶ機器）、接続入力、電源ＯＮ／ＯＦＦ、メディア（地上波デジタル、ＤＶＤ等）、機器状態（１２ＣＨ、再生等）、タイトルやチャプタ情報等を、お好みチャンネルキーの番号に対応付けて一覧表示する（ステップＳ６７）。全呼出画面は上記図１４で示すような画面である。
【００６０】
そしてユーザは、テレビのリモコンの上下ボタンを操作して、表示されている登録画面において「全消去」を選択する操作を行う（ステップＳ６８）。これに対してテレビでは、図２１に示すように、消去画面に“全消去しますか”という表示を行う（ステップＳ６９）。そして、ユーザがリモコンのＯＫボタンを押すことにより、全てのお好みＣＨの登録データを消去する指示が決定され（ステップＳ７０）、テレビでは、図２２に示すように、“全消去中”を表示し、全てのお好みＣＨの登録データを画面上から消去する（ステップＳ７１）。
【００６１】
そしてテレビは、ＤＶＤ１に対して、全てのお好みチャンネルキーの登録データを消去するよう指示を送る（ステップＳ７２）。これを受けてＤＶＤ１では、自身のメモリー部に保持している全てのお好みチャンネルキーの登録データを消去し（ステップＳ７３）、消去が完了した旨をテレビに通知する（ステップＳ７４）。
さらにテレビは、ＤＶＤ２に対して、全てのお好みチャンネルキーの登録データを消去するよう指示を送る（ステップＳ７５）。これを受けてＤＶＤ２では、自身のメモリー部に保持している全てのお好みチャンネルキーの登録データを消去し（ステップＳ７６）、消去が完了した旨をテレビに通知する（ステップＳ７７）。そして、テレビでは、図２３に示すように“全消去完了”との表示を行う（ステップＳ７８）。
【００６２】
図２４は、表示システムの表示装置において、ＡＶ機器の状態をお好みチャンネルキーに登録するときの指示データの内容を説明するための図である。ここでは、テレビとＤＶＤを使用したシステム構成において、テレビで視聴（表示）中のＤＶＤの録画リストをお好みチャンネルキー“００３”に登録するときに、テレビからＤＶＤに送信する登録指示のデータ内容を示している。
図２４に示すようにこのときの登録指示データには、発信機器情報として“ＴＶ”、外部接続機器（ＡＶ機器）の機器情報として“ＤＶＤ１”、コマンド種類として“お好み登録指示”、お好みチャンネルキーの番号として“００３”の情報が含まれる。コマンド種類は、ＣＥＣメッセージにより指示される内容を指している。
【００６３】
図２５は、上記図２４の登録指示情報に対してＤＶＤ１から返信する登録データの内容を説明するための図である。
上記のようなお好みチャンネルキー“００３”に対する登録指示に対して、ＤＶＤ１では、発信機器情報として“ＤＶＤ１”、外部接続機器（表示装置）の機器情報として“ＴＶ”、コマンド種類として“お好み状態返信”、お好みチャンネルキーの番号として“００３”、状態送信長の情報として“可変長”及び“５コマンド”が含む返信データをテレビに送信する。さらにこの返信データには、優先状態１〜ＥＮＤまでの情報として、優先状態１では“電源”と“ＯＮ”、優先状態２では“使用機器”と“ＨＤＤ”、優先状態３では“録画リスト表示”と“ＯＮ”、優先状態４では“選択ＣＨ”と“１２”、優先状態５では“録画状態２と”ＯＦＦ“、優先状態ＥＮＤでは”ＥＮＤ“の情報が含まれる。
【００６４】
表示システムのＡＶ機器（この例ではＤＶＤ１）は、表示装置（この例ではテレビ）に表示してもらいたい優先順位で登録データをテレビに返信する。上記のように優先状態の情報には、各条件の情報とその状態情報が含まれる。例えば上記優先状態１では、条件として“電源”が含まれ、その状態情報として“ＯＮ”の情報が含まれている。
ＤＶＤ１から登録データの返信を受けたテレビでは、優先状態の条件とその状態情報をＯＳＤ（on screen display）にて表示する。このときにテレビでは、優先状態の順位が高い順（番号が若い順）に表示を行うようにする。また、ＡＶ機器（ここではＤＶＤ１）側では、優先状態の順位が予め定められているが、表示装置（ここではテレビ）側からその優先状態の順位を変更する設定が可能である。
【００６５】
また、表示装置で認識できないＡＶ機器の状態、例えば表示装置の設計時点で定義されていないＡＶ機器の状態は表示装置で表示できないため、ＡＳＣＩＩ、Ｓ−ＪＩＳ、Ｕｎｉｃｏｄｅ等の規格で文字そのものを送信することも可能としておく。
【００６６】
図２６は、表示装置に接続されるＡＶ機器における優先状態を設定するときの処理の一例を説明するための図である。この例は、表示装置であるテレビ（ＴＶ）に対して、ＡＶ機器としてＤＶＤレコーダ（ＤＶＤ１）が接続されているものとする。
ＤＶＤレコーダの優先状態を設定する前に、テレビ（ＴＶ）のチューナで選局した放送波をテレビにて視聴していたものとする（ステップＳ８１）。ここでユーザは、ＤＶＤ１のリモコンを操作して、「優先状態設定項目」を選択する指示を行う（ステップＳ８２）。これを受けてＤＶＤ１では、図２７に示すような優先状態設定画面を表示する（ステップＳ８３）。この優先状態設定画面は、ＤＶＤ１で画面表示されるが、ＤＶＤ１からテレビに送信されてテレビの画面に表示させるようにしてもよい。
優先状態設定画面では、お好みチャンネルキーに登録する登録データの項目について、予め優先順位を定めておくことができる。この例では、優先順位の高い順に、“電源”、“録画リスト”、“視聴ＣＨ”、“再生”、“再生機器”が設定されている。また優先順位を設定しない項目（条件）として、“タイトル”と“チャプター”が設定されている。
【００６７】
ここでユーザは、操作入力手段の「ＯＫ」ボタンを選択したあと、上下キーを使用して優先順位の条件を変更する指示を行うことができる（ステップＳ８４）。これを受けてＤＶＤ１では、図２８に示すように優先順位の条件を入れ替える表示を行う（ステップＳ８５）。そしてユーザが「ＯＫ」ボタンを押すことで入れ替えを確定する指示を行うと（ステップＳ８６）、ＤＶＤ１では、入れ替え後の優先状態を確定する（ステップＳ８７）。
【００６８】
図２９は、表示システムの表示装置において、お好みチャンネルキーに登録されている登録データを再現するときの指示データの内容を説明するための図である。ここでは、テレビとＤＶＤを使用したシステム構成において、お好みチャンネルキー“００３”に登録されている登録データを再現するときの指示データ内容を示している。
図２９に示すように、このときの再現指示データには、発信機器情報として“ＴＶ”、外部接続機器（ＡＶ機器）の機器情報として“ＤＶＤ１”、コマンド種類として“お好み登録再現”、お好みチャンネルキーの番号として“００３”の情報が含まれる。コマンド種類は、ＣＥＣメッセージにより指示される内容を指している。
【００６９】
図３０は、上記図２９の再現指示情報に対してＤＶＤレコーダ（ＤＶＤ１）から返信する再現完了データの内容を説明するための図である。上記のようなお好みチャンネルキー“００３”を再現する指示データに対して、ＤＶＤ１では、発信機器情報として“ＤＶＤ１”、外部接続機器（表示装置）の機器情報として“ＴＶ”、コマンド種類として“お好み登録再現完了”、お好みチャンネルキーの番号として“００３”を含む再現完了データを送信する。
【００７０】
図３１は、表示システムの表示装置において、お好み状態一覧画面を作成するときの指示データの内容を説明するための図である。ここでは、テレビとＤＶＤを使用したシステム構成において、お好みチャンネルキーに登録されている登録データを一覧にした画面を作成するときに指示データ内容を示している。
図３１に示すように、このとき指示データには、発信機器情報として“ＴＶ”、外部接続機器（ＡＶ機器）の機器情報として“ＤＶＤ１”、コマンド種類として“お好み登録読込”、お好みチャンネルキーの番号として“００１”の情報が含まれる。この指示情報に対してＤＶＤ１から返信される返信データの内容は、上記図３３と同様である。
【００７１】
図３２は、表示システムの表示装置において、お好みチャンネルキーに登録されている登録データを解除するときの指示データの内容を説明するための図である。ここでは、テレビとＤＶＤを使用したシステム構成において、お好みチャンネルキー“００３”に登録されている登録データを解除するときの指示データ内容を示している。
図３２に示すように、このときの再現指示データには、発信機器情報として“ＴＶ”、外部接続機器（ＡＶ機器）の機器情報として“ＤＶＤ２”、コマンド種類として“お好み登録解除”、お好みチャンネルキーの番号として“００３”の情報が含まれる。
【００７２】
図３３は、上記図３２の解除指示情報に対してＤＶＤ２から返信する解除完了データの内容を説明するための図である。上記のようなお好みチャンネルキー“００３”を解除する指示データに対して、ＤＶＤ２では、発信機器情報として“ＤＶＤ１”、外部接続機器（表示装置）の機器情報として“ＴＶ”、コマンド種類として“お好み登録解除完了”、お好みチャンネルキーの番号として“００３”、及び解除結果として“成功”または“失敗”を含む解除完了データを送信する。
【００７３】
図３４は、表示システムの表示装置において、全てのお好みチャンネルキーに登録されている登録データを解除するときの指示データの内容を説明するための図である。ここでは、テレビとＤＶＤを使用したシステム構成において、全てのお好みチャンネルキーに登録されている登録データを解除するときの指示データ内容を示している。
図３４に示すように、このときの全解除指示データには、発信機器情報として“ＴＶ”、外部接続機器（ＡＶ機器）の機器情報として“ＤＶＤ１”、コマンド種類として“お好み登録全解除”の情報が含まれる。
【００７４】
図３５は、上記図３４の解除指示情報に対してＤＶＤ１から返信する解除完了データの内容を説明するための図である。上記のような全てのお好みチャンネルキーの登録を解除する指示データに対して、ＤＶＤ１では、発信機器情報として“ＤＶＤ１”、外部接続機器（表示装置）の機器情報として“ＴＶ”、コマンド種類として“お好み登録全解除完了”、解除結果として“成功”または“失敗”を含む解除完了データを送信する。
【図面の簡単な説明】
【００７５】
【図１】本発明の表示システムの構成の要部を説明するためのブロック図である。
【図２】表示システムの構成例とこのときのＨＤＭＩの物理アドレスとを示す図である。
【図３】表示装置のメモリー部に保持されるお好みチャンネルキー（キー番号）とＡＶ機器の対応テーブルの一例を示す図である。
【図４】表示システムのＡＶ機器に保持される機器状態情報テーブルの一例を説明するための図である。
【図５】お好みＣＨにＡＶ機器の状態情報を登録する処理の他の例を説明するための図である。
【図６】図５の処理時に表示されるお好みチャンネルの登録画面の一例を示す図である。
【図７】図５の処理時に表示されるお好みチャンネルの登録画面の他の例を示す図である。
【図８】図５の処理時に表示されるお好みチャンネルの登録画面の更に他の例を示す図である。
【図９】お好みチャンネルキーに登録されたＡＶ機器の状態を再現する処理の一例を説明するための図である。
【図１０】図９の処理時に表示されるお好み呼出画面の一例を示す図である。
【図１１】図９の処理時に表示されるお好み呼出画面の他の例を示す図である。
【図１２】お好みチャンネルキーに登録された全ての情報一覧画面を作成するときの処理の一例を説明するための図である。
【図１３】図１２の処理時に表示される全呼出画面の一例を示す図である。
【図１４】図１２の処理時に表示される全呼出画面の他の例を示す図である。
【図１５】お好みチャンネルキーの登録を解除するときの処理の一例を説明するための図である。
【図１６】図１４の処理時に示される全呼出画面の一例を示す図である。
【図１７】図１４の処理に示される消去画面の一例を示す図である。
【図１８】図１４の処理に示される消去画面の他の例を示す図である。
【図１９】図１４の処理に示される消去画面の更に他の例を示す図である。
【図２０】全てのお好みＣＨの登録を解除するときの処理の一例を説明するための図である。
【図２１】図２０の処理時に示される全消去画面の一例を示す図である。
【図２２】図２０の処理時に示される全消去画面の他の例を示す図である。
【図２３】図２０の処理時に示される全消去画面の更に他の例を示す図である。
【図２４】表示システムの表示装置において、ＡＶ機器の状態をお好みチャンネルキーに登録するときの指示データの内容を説明するための図である。
【図２５】図２４の登録指示情報に対してＤＶＤ１から返信する登録データの内容を説明するための図である。
【図２６】表示装置に接続されるＡＶ機器における優先状態を設定するときの処理の一例を説明するための図である。
【図２７】図２６の処理時に表示される優先状態設定画面の一例を示す図である。
【図２８】図２６の処理時に表示される優先状態設定画面の他の例を示す図である。
【図２９】表示システムの表示装置において、お好みチャンネルキーに登録されている登録データを再現するときの指示データの内容を説明するための図である。
【図３０】図２９の再現指示情報に対してＤＶＤレコーダ（ＤＶＤ１）から返信する再現完了データの内容を説明するための図である。
【図３１】表示システムの表示装置において、お好み状態一覧画面を作成するときの指示データの内容を説明するための図である。
【図３２】表示システムの表示装置において、お好みチャンネルキーに登録されている登録データを解除するときの指示データの内容を説明するための図である。
【図３３】図３２の解除指示情報に対してＤＶＤ２から返信する解除完了データの内容を説明するための図である。
【図３４】表示システムの表示装置において、全てのお好みチャンネルキーに登録されている登録データを解除するときの指示データの内容を説明するための図である。
【図３５】図３４の解除指示情報に対してＤＶＤ１から返信する解除完了データの内容を説明するための図である。
【符号の説明】
【００７６】
１０…表示装置、１１…Ｒ／Ｃ受光部、１２…制御部、１３…ＨＤＭＩ通信部、１４…メモリー部、２０…ＡＶ機器、２１…Ｒ／Ｃ受光部、２２…制御部、２３…ＨＤＭＩ通信部、２４…メモリー部。
【図１】
2009200887.tif 000003
【図２】
2009200887.tif 000004
【図３】
2009200887.tif 000005
【図４】
2009200887.tif 000006
【図５】
2009200887.tif 000007
【図６】
2009200887.tif 000008
【図７】
2009200887.tif 000009
【図８】
2009200887.tif 000010
【図９】
2009200887.tif 000011
【図１０】
2009200887.tif 000012
【図１１】
2009200887.tif 000013
【図１２】
2009200887.tif 000014
【図１３】
2009200887.tif 000015
【図１４】
2009200887.tif 000016
【図１５】
2009200887.tif 000017
【図１６】
2009200887.tif 000018
【図１７】
2009200887.tif 000019
【図１８】
2009200887.tif 000020
【図１９】
2009200887.tif 000021
【図２０】
2009200887.tif 000022
【図２１】
2009200887.tif 000023
【図２２】
2009200887.tif 000024
【図２３】
2009200887.tif 000025
【図２４】
2009200887.tif 000026
【図２５】
2009200887.tif 000027
【図２６】
2009200887.tif 000028
【図２７】
2009200887.tif 000029
【図２８】
2009200887.tif 000030
【図２９】
2009200887.tif 000031
【図３０】
2009200887.tif 000032
【図３１】
2009200887.tif 000033
【図３２】
2009200887.tif 000034
【図３３】
2009200887.tif 000035
【図３４】
2009200887.tif 000036
【図３５】
2009200887.tif 000037